(57)【要約】      （修正有）【課題】特定のチャンネルの放送が視聴できる状態を復元できない仕組みを可能にする放送信号フィルタ装置を提供する。【解決手段】入力端子と出力端子が直接結合できない形状の端子であることを特徴とする特定の周波数の放送信号を減衰させるフィルタ装置を用いる。【選択図】図２
0003201055.tif 000002
【実用新案登録請求の範囲】
【請求項１】
特定の周波数の放送信号を減衰させるフィルタ装置であって、その入力端子と出力端子が直接結合できない形状の端子であることを特徴とするフィルタ装置。
【考案の詳細な説明】
【技術分野】
【０００１】
本考案は、放送受信用アンテナ線に取り付けるフィルタに関する。
【背景技術】
【０００２】
アンテナ線に取り付けて特定帯域の周波数の信号を取り除くノッチフィルタやバンドストップフィルタは、複数の電波塔からの信号の混信を防ぐ目的および特定の放送局の放送を受信させない目的で使われているが、本考案はアンテナ線に組み込まれたフィルタを取り外すと、アンテナ線が結線できなくなる装置に関する。
【０００３】
受信料を支払わない人に対して、有料チャンネルを視聴できなくする仕組みとして、スクランブル放送のほかに、そのチャンネルの放送信号を物理的に減衰させる方法がある。これを実現する方法として、高周波ノッチフィルタや高周波バンドストップフィルタが用いられる。
【０００４】
特許文献１（特開２００７−２６７３４４）には、高周波において、隣接チャンネル信号を過度に減衰させることなく、特定のチャンネルの信号を減衰できる有極型帯域阻止フィルタが開示されている。また実用新案文献１（実登３１９０７３７号）と実用新案文献２（実登３１９１１３３号公報）にも、隣接チャンネル信号を過度に減衰させることなく、特定の複数チャンネルの信号を減衰できるノッチフィルタおよびバンドストップフィルタが開示されている。
【先行技術文献】
【特許文献】
【０００５】
【特許文献１】特開２００７−２６７３４４公報
【非特許文献】
【０００６】
【非特許文献１】実登３１９０７３７号公報
【非特許文献２】実登３１９１１３３号公報
【考案の概要】
【考案が解決しようとする課題】
【０００７】
上記先行技術文献では、フィルタの端子が同型コネクタのオスとメスであることが想定されていた。フィルタの端子がF型コネクタのオス端子とメス端子の場合、F型コネクタを持つ同軸ケーブル配線の途中にフィルタを挿入することができる。逆に、フィルタを取り外せば、そのまま同軸ケーブルを結線できることになる。よって、フィルタの挿入によって特定のチャンネルの放送を視聴できないようにしても、フィルタを外して同軸ケーブルを結線しなおせば、容易にそのチャンネルの視聴ができる状態を復元できるという問題があった。
【課題を解決するための手段】
【０００８】
本考案のフィルタ装置は、特定の周波数の放送信号を減衰させるフィルタ装置であって、その入力端子と出力端子が直接結合できない形状の端子であることを特徴とするフィルタ装置である。
【考案の効果】
【０００９】
本考案は、フィルタを取り外してもそのままケーブルを結線できない状態を作り出すことにより、特定のチャンネルが視聴できる状態を復元できない仕組みを可能にする。
【図面の簡単な説明】
【００１０】
【図１】従来のフィルタを示す図である。
【図２】本考案のフィルタとその効用を示す図である。
【図３】本考案の第１の実施形態を示す図である。
【図４】本考案の第２の実施形態を示す図である。
【図５】本考案の第３の実施形態を示す図である。
【考案を実施するための形態】
【００１１】
図１は従来の一般的なアンテナ線フィルタである。フィルタの入出力端子はF型コネクタのメス端子（F端子メス）とF型コネクタのオス端子（F端子オス）であり、同型のオス端子とメス端子であるため直接結合できる形状である。一方、一般にアンテナコンセントとテレビのアンテナ入力端子はいずれもF端子メスである。この２つの端子をつなぐため、アンテナ線として両端がF端子オスの同軸ケーブルを用いる。フィルタを入れる場合は、アンテナコンセントのメス端子とフィルタのオス端子、フィルタのメス端子と同軸ケーブルのオス端子、同軸ケーブルのもう一端のオス端子とテレビのメス端子をつなぐ方法と、アンテナコンセントのメス端子と同軸ケーブルのオス端子、同軸ケーブルのもう一端のオス端子とフィルタのメス端子、フィルタのオス端子とテレビのメス端子をつなぐ方法の２つがある。いずれの場合も、フィルタを外せば、同軸ケーブルでアンテナコンセントとテレビを直接結線できるため、フィルタで遮断していた周波数のチャンネルの放送が視聴できるようになる。
【００１２】
図２は提案するアンテナ線フィルタの一例である。フィルタの入出力端子はともにF型メス端子である。このフィルタを使いながら、アンテナコンセントとテレビをつなぐには、アンテナ線として一端がF端子オス、もう一端がF端子メスの同軸ケーブルを用いる必要がある。結線の手順としては、アンテナコンセントのメス端子とフィルタのオス端子、フィルタのもう一方のオス端子と同軸ケーブルのメス端子、同軸ケーブルのオス端子とテレビのメス端子をつなぐ方法と、アンテナコンセントのメス端子と同軸ケーブルのオス端子、同軸ケーブルのメス端子とフィルタのオス端子、フィルタのもう一方のオス端子とテレビのメス端子をつなぐ方法の２つがある。いずれの場合も、フィルタを外すと、同軸ケーブルのメス端子はアンテナコンセント、テレビの入力端子のいずれとも結合できないため、アンテナコンセントとテレビを結線できなくなる。
【実施例１】
【００１３】
図３に本考案の第１の実施形態を示す。図３のフィルタは図２の機能を実現するフィルタであって、入出力端子がともにF型コネクタのオス端子となっている。図２に示すように、一端がF端子オス、もう一端がF端子メスの同軸ケーブルと結合して用いることで、アンテナコンセントとテレビのアンテナ端子間をつなぐことができる。
【実施例２】
【００１４】
図４に本考案の第２の実施形態を示す。図４のフィルタは、同軸ケーブルと一体化しており、入力端子がともにF型コネクタのオス端子となっており、そのままアンテナコンセントとテレビのアンテナ端子間をつなぐことができる
【実施例３】
【００１５】
図５に本考案の第３の実施形態を示す。図５のフィルタは入力端子として１つのF型コネクタメス端子を持ち、出力端子として複数のF型コネクタメス端子を持つ。出力端子が複数あるため、フィルタ機能のほかに分配機としての機能を併せ持つ。従来の分配機の代わりに、このフィルタ機能付き分配機を用いることで、１台のフィルタで複数の受信機で特定のテレビ局の放送のみを受信できなくすることができる。また、入出力のコネクタ端子の形状が同じであるため、入力端子につながれた同軸ケーブルと出力端子につながれた同軸ケーブルを直接結合することはできない。
【産業上の利用可能性】
【００１６】
本考案のフィルタを用いることで、特定のテレビ局の放送を復元不可能な形で受信できなくすることが可能である。よって、受信料を払わない人に、特定のチャンネルの放送を視聴できなくするようにする設備に利用可能である。
【符号の説明】
【００１７】
１    テレビコンセント（F端子メス）
２    フィルタ（F端子オス・メス）
３    同軸ケーブル（F端子オス・オス）
４    テレビ（入力端子F端子メス）
５    フィルタ（F端子オス・オス）
６    同軸ケーブル（F端子オス・メス）
７    F端子オス
８    フィルタ本体
９    同軸ケーブル
１０    F端子メス（入力用）
１１    F端子メス（出力用）
１２    フィルタ機能付分配機本体
【図１】
0003201055.tif 000003
【図２】
0003201055.tif 000004
【図３】
0003201055.tif 000005
【図４】
0003201055.tif 000006
【図５】
0003201055.tif 000007